(57)【特許請求の範囲】
【請求項１】
鉄道軌道床に敷き込んで軌道床に植物を育成するために用いる軌道緑化マットを有する軌道緑化ユニットにおいて、
左右の軌道の間に収容可能な底板と、この底板の周縁から起立する側壁とを有する略皿状の容器と、この容器に収容された軌道緑化マットとを備え、前記容器の軌道に非平行な側壁の上縁を前記軌道緑化マットの上面よりも高くしたことを特徴とする軌道緑化ユニット。
【請求項２】
軌道緑化マットは、上下２層の植栽基板層と、前記２層の植栽基板層の間に挟まれた弱耐根層とを備える請求項１の軌道緑化ユニット。
【請求項３】
軌道緑化マットと容器との間に耐根シートが敷き込まれている請求項１または２の軌道緑化ユニット。
【請求項４】
軌道緑化マットの上面には植生マットが保持されている請求項１の軌道緑化ユニット。
【請求項５】
容器は、軟質樹脂シートで作られている請求項１の軌道緑化ユニット。
【請求項６】
軟質樹脂シートは、加硫ゴム系、非加硫ゴム系、塩化ビニル樹脂系、エチレン酢酸ビニル樹脂系、熱可塑性エラストマー、ウレタンフォーム、発泡ポリエチレン、シリコンゴム、ブチルゴム、酢酸ビニル樹脂、オレフィン樹脂、のいずれかに可塑剤、充填剤を添加したシートである請求項５の軌道緑化ユニット。
【請求項７】
植栽基板層は、三次元繊維構造に成形された樹脂繊維、不織布、フェルト、のいずれかからなる基板に軽量培土、肥料を充填して所定寸法のマット状に成形したものである請求項１の軌道緑化ユニット。
【請求項８】
弱耐根層は、下層の植栽基板層となる基板の上層部に分けて形成された粒径が大きく水分の供給を制限する軽量培土層で形成されている請求項１の軌道緑化ユニット。
【請求項９】
弱耐根層は、適切な寸法以下の開口を有し根の成長を物理的に制限する強度を有するシートである請求項１の軌道緑化ユニット。 
【請求項１０】
弱耐根層は根の成長を制限する開口寸法と強度を有する不織布からなる透水性シートである請求項１の軌道緑化ユニット。
【請求項１１】
植生マットは、ポリエステル繊維の織布または不織布に植物を生育させたものであり、培土の流出を防止できるものである請求項４の軌道緑化ユニット。
【請求項１２】
容器の少なくとも１つの側壁には、この側壁からこれに隣接するまくら木の上面を覆って他の軌道緑化ユニットに達する幅広の延出シートが設けられている請求項１の軌道緑化ユニット。
【請求項１３】
請求項１の軌道緑化ユニットを軌道床に固定するために用いる軌道緑化ユニット固定構造であって、
軌道の外側で軌道床に敷かれた補助緑化マットを備え、前記軌道緑化ユニットと前記補助緑化マットとを、軌道の下方を通して結合したことを特徴とする軌道緑化ユニットの固定構造。
【請求項１４】
補助緑化マットは、２つのまくら木の間からまくら木の長手方向の端部を囲むように平面視略Ｌ字状に形成され、この補助緑化マットの一端が軌道の下方を通して軌道間に敷かれた軌道緑化ユニットに結合され、他端が隣接する補助緑化マットに結合されている請求項１３の軌道緑化ユニットの固定構造。
【発明の詳細な説明】
【技術分野】
【０００１】
この発明は、鉄道軌道床に敷いて軌道床に植物を植栽するために用いる軌道緑化マットを容器に収容した軌道緑化ユニットと、この軌道緑化ユニットを軌道床に固定するための固定構造に関するものである。
【背景技術】
【０００２】
都市部の鉄道では、特に夏期に軌道床の温度が上昇しこれが１つの熱源となってヒートアイランド現象を昂進させ、また車両走行時の騒音や振動が環境悪化の原因になるという問題がある。さらに砕石やコンクリートの軌道床は美観を損ねるという意見も近年強くなってきている。
【先行技術文献】
【特許文献】
【０００３】
【特許文献１】特開２００５−４１
【特許文献２】特開２００９−２６８３９３
【特許文献３】特開平８−３１１８７８
【０００４】
そこで軌道に植物を植えて空気中に水分を蒸散させることにより周囲温度を下げると共に、騒音や振動を吸収させることによってこれらを抑制し、美観を向上させることが提案されている。
【０００５】
特許文献１には、路面電車の軌道間に上面が開いた皿形の緑化容器の収容し、この緑化容器の軌道（レール）に対向する辺（側壁）を高くして、植栽した植物が軌道近くまで進入して車輪が植物の根や、植栽床となる土壌などに接触して通行に支障が生じるのを防ぐことが開示されている。特許文献２には、自動給水用の栽培パレットを軌道（レール）間に配置し、このパレットの軌道に対向する縁に軌道の高さを超えない高さの遮蔽壁を設けルことが開示されている。この遮蔽壁によって植栽の茎が軌道方向に伸びることを防止し、線路間の絶縁を短絡させるなどの障害の発生を防止するものである。
【０００６】
また特許文献３には、垂直に近い壁面に取り付ける緑化パネルであって、無土壌培地（多孔質発泡体ポリプロピレンなどの植物の支持基盤層）の裏側に植物の育成コントロール層を設けたものが開示されている。ここに育成コントロール層は、植物の衰退と徒長を防止して初期の緑化状況を維持するためのものであり、例えば遅効性肥料と生育抑制剤とを貼着ないしは挟み込んだ不織布をアクリル多孔質合成繊維のフェルト間に挟み込んだものである（請求項１、段落００１６など）。
【発明の概要】
【発明が解決しようとする課題】
【０００７】
特許文献１に示されたものは路面電車に適用することを想定したものであり、路面電車では一般にその走行速度は通勤電車などの都市交通電車に比べて著しく低速である。一方通勤電車では特に通勤時間帯では路面電車に比べてその走行間隔も一般に極めて短く、急行電車などの通過車両が通過する時には緑化植物に加わる走行風は予想以上に強いものとなる。このため緑化植物の生長が強い走行風によって阻害され、植物が傷つけられるという問題が発生する。
【０００８】
特許文献２に示されたものは、栽培パレットを軌道の長手方向に接続して一体化しその左右両縁に軌道に沿って遮蔽壁を設けるから、車両の走行風は遮蔽壁の間を通って流れることになる。このため栽培パレットの上に載せた栽培マットから生育する植物に、走行風が直接当たることになる。このため植物の生育が走行風によって阻害され、傷つけられるという問題が生じる。
【０００９】
特許文献３に示されたものは、垂直あるいは垂直に近い壁面に保持することを前提にするから、土壌でなく脱落する恐れがない無土壌培地を用い、この裏面に生育コントロール層を設けて、植物の根が充満して無土壌培地や生育コントロール層を押し出して緑化マットを傷めるのを防ぐものである。しかし、無土壌培地は通常保水力が弱いという問題があり、特に強い日光が当たる場所には設置できなかったり、設置が困難である。また別途給水設備を必要とすることもある。
【００１０】
この発明はこのような事情に鑑みなされたものであり、電車の走行風によって緑化植物が傷められたりその生長が阻害されることが無く、土壌培地を使用して植物の良好な生育を可能にする軌道緑化ユニットを提供することを第１の目的とする。
また軌道緑化ユニットが走行風によって移動したり、まくれ上がるのを確実に防ぐことができる軌道緑化ユニットの固定構造を提供することを第２の目的とする。
【課題を解決するための手段】
【００１１】
この発明によれば第１の目的は、鉄道軌道床に敷き込んで軌道床に植物を育成するために用いる軌道緑化マットを有する軌道緑化ユニットにおいて、左右の軌道の間に収容可能な底板と、この底板の周縁から起立する側壁とを有する略皿状の容器と、この容器に収容された軌道緑化マットとを備え、前記容器の軌道に非平行な側壁の上縁を前記軌道緑化マットの上面よりも高くしたことを特徴とする軌道緑化ユニット、により達成される。
【００１２】
第２の目的は、請求項１の軌道緑化ユニットを軌道床に固定するために用いる軌道緑化ユニット固定構造であって、軌道の外側で軌道床に敷かれた補助緑化マットを備え、前記軌道緑化ユニットと前記補助緑化マットとを、軌道の下方を通して結合したことを特徴とする軌道緑化ユニットの固定構造、によって達成される。
【発明の効果】
【００１３】
第１の発明によれば、略皿状の容器が持つ側壁のうち、軌道に非平行な側壁の上縁を軌道緑化マットの上面よりも高くしたものであるから、車両の走行風はこの高い側壁によって弱められ、軌道緑化マットから生育する植物に走行風が直接当たるのを防ぎ、また植物に当たる走行風を弱めることができる。このため走行風が植物の生育に障害とならず、走行風によって植物が傷められることがなく、植物がきれいに揃って生育する。また植物がこの高い側壁より高くなると、逆に走行風が植物の先端に当たってその生長を妨げることになり、植物の高さが揃いやすく、美観が向上する。
【００１４】
第２の発明によれば、軌道間に敷いた軌道緑化ユニットを、軌道の外に敷いた補助軌道緑化マットと軌道の下方を通して結合して固定したものであるから、軌道緑化ユニットが鉄道車両の走行風によって移動したりまくれ上がったりするのを確実に防ぐことができる。またこれらを軌道に固定しないから、車両の走行の障害になることもない。
【図面の簡単な説明】
【００１５】
【図１】本発明の一実施例を示す分解斜視図
【図２】容器の分解斜視図
【図３】軌道緑化マットの構造を示す図
【図４】軌道緑化ユニットの分解斜視図
【図５】軌道緑化ユニットの斜視図
【図６】軌道緑化ユニットの延出シートの取付構造を示す側断面図
【図７】軌道緑化ユニットの軌道床への設置状態を示す平面図
【図８】同じく図７におけるVIII-VIII線側断面図
【図９】同じく緑化ユニットの固定構造を示す図７におけるIX-IX線断面図
【図１０】弱耐根層の他の実施例を示す図
【発明を実施するための形態】
【００１６】
軌道緑化マットは、上下２層の植栽基板層の間に弱耐根層を設けたものとすることができる（請求項２）。この緑化マットによれば、植栽植物の根が弱耐根層によって下層の植栽基板層に進入しにくくなり、進入しても進入根が肥大化しにくくなり、養分吸収が確実になるまでに時間的遅れが生じる。このため植物根は上層植栽基板層に容易に根圏を拡大し、弱耐根層は下層への伸長を遅らせることとなる。時間経過と共に上層植栽基板層に根圏が充満し、成長の余地が無くなると根は弱耐根層を通って下層植栽基板層に根圏を求めて伸長を行う。このように弱耐根層は、限られた土壌容積を生育に併せて有効に振り分ける作用をもつ。このため根が張りすぎて緑化マットが破けるなどの損傷を受けたり植物が生長しすぎて背が高くなりすぎる、などの問題を防ぐことができる。
【００１７】
また弱耐根層の下に下層植栽基板層を設けているので、上層植栽基板層との協働によって保水力を大幅に向上させることができる。すなわち上層植栽基板層には、直射日光が当たって特に夏期の乾燥が著しく進むが、下層植栽基板層はその上の弱耐根層および上層植栽基板層によって水分の蒸発が抑制され、また植物の根はこの下層植栽基板層には入りにくいので植物からの蒸散も抑制される。このため保水力が向上する。
【００１８】
緑化マットと容器との間に耐根シートを敷き込んでおいても良い（請求項３）。容器自身は根が容器の外に伸びるのを防ぐ機能（耐根機能）を持っているが、別に耐根シートを敷き込んでおけばこの容器に排水溝や通気孔を設けた場合に、根がこれらから外に伸びるのを防ぐことができる。
【００１９】
上層の植栽基板層の上面には植生マットを保持しておくのがよい（請求項４）。この植生マットはポリエステル繊維の織布または不織布に植物（セダム類など）を予め適切な大きさまで生育させたものであり（請求項１１）、この場合には緑化マットを軌道間に設置した後で植栽基板層に種をまいたり苗を植えたりするのに比べて、植物の生長が確実で最初から適切な美観が得られる。またこの植生マットは、その下の植栽基板層から培土が流出するのを防止できる効果もある。
【００２０】
容器は軟質樹脂シートで作るのがよい（請求項５）。ここに用いる軟質樹脂シートは、加硫ゴム系、非加硫ゴム系、塩化ビニル樹脂系、エチレン酢酸ビニル樹脂系、熱可塑性エラストマー、ウレタンフォーム、発泡ポリエチレン、シリコンゴム、ブチルゴム、酢酸ビニル樹脂、オレフィン樹脂、のいずれかに可塑剤、充填剤を添加したシートとすることができる（請求項６）。
【００２１】
このような軟質シートで作れば、この容器を砕石軌道床に載せた場合に、容器の底が軌道床の凹凸によく追随して変形し、軌道床との間にできる間隙を小さくでき、あるいは間隙ができなくなる。このため車両走行に伴う軌道床から拡散する騒音の発生を減少させることができる。
【００２２】
植栽基板層は、三次元繊維構造に形成された樹脂繊維、不織布、フェルト、のいずれかからなる基板に軽量培土、肥料を充填あるいは詰め込んで所定寸法のマット状に成形したものがよい（請求項７）。弱耐根層は、下層の植栽基板層の上層部に粒径が大きい軽量培土層を分離して、この大粒径の層を弱耐根層としても良い（請求項８）。この場合は、大粒径の層は水分の吸い上げ機能が悪いから、この現象を利用して根に対する水分の供給を制限することによって根の成長を制限する。このように大粒径の層を形成するためには、樹脂繊維などの基板に粒径が異なる軽量培土を載せて基板を加震すればよい。震動によって細かい培土が基板内で下層に集まり、大径の培土が基板の上層に集まって容易に粒径が異なる層を分けて形成することができる。
【００２３】
弱耐根層は、適切な寸法以下の開口を有し根の成長を物理的に制限する強度を有するシートや（請求項９）、根の成長を制限する開口寸法と強度を有する不織布からなる透水性シートが適する（請求項１０）。このようなシートは、防草シートとして知られたものが適する。例えばカーボンブラックを含有するポリオレフィン系樹脂から成形されるフラットヤーンを緻密に織成した織布（特開平１０−４２７２０）、ココヤシ繊維（特開２００１−３２０９８４）、開孔率を一定以下にした熱可塑性樹脂シート（特開２００２−２６６２４８）、遮光性と透水性と耐候性をそれぞれ所定範囲とした防草シート（特開２００４−７３１４６）、などを用いることができる。
【００２４】
植生マットは、ポリエステル繊維の織布あるいは不織布に植物を生育させたものであり、培土の流出を防止できるものが適する（請求項１１）。容器には、隣接するまくら木の上面を覆って、他の軌道緑化ユニットに達する幅広の延出シートを設けておくことができる（請求項１２）。この延出シートは他の軌道緑化ユニットの下に延出させたりここに紐で結んで固定することができるので、軌道緑化ユニットの移動を防止できる。またまくら木を覆っているので、まくら木から騒音が周囲に発散されるのを防ぐことができる。
【００２５】
軌道緑化ユニットを固定するために用いる補助緑化マットは、軌道緑化ユニットと同様に略皿状の容器に収容しておいても良い。この場合は軌道を挟んだ容器同志を結合すればよいので結合構造が単純になる。しかしこの補助緑化マットは容器が無くても良く、この場合は補助緑化マット全体をネットで包み、このネットまたはこのネットに結合したバンドなどを軌道の下方を通して緑化ユニットに結合すればよい。補助緑化マットは、まくら木の間からまくら木の長手方向の端部を囲むように平面視略Ｌ字状に形成し、その一端を軌道の下方を通して軌道緑化ユニットに結合し、他端を隣接する補助緑化マットに結合することができる（請求項１４）。この場合は、軌道床を覆う緑化ユニットおよび緑化マットの被覆面積が広くなり、軌道緑化の効果が大きくなる。
【実施例１】
【００２６】
図１において、符号１０、１０は左右一対の軌道（レール）であり、軌道１０の長手方向に所定間隔で並べられた多数のまくら木１２に保持されている。まくら木１２は砕石軌道床１４（図８，９）に載せられている。軌道１０，１０は、まくら木１２に固定した公知のタイプレート１６に載せられ、このタイプレート１６に板ばね１８によって固定されている。
【００２７】
２０は軌道緑化ユニット（構造体）であり、隣接するまくら木１２と左右の軌道１０，１０に囲まれる空間に入る寸法に作られている。この軌道緑化ユニット２０は図３〜６に示すように、略皿状の容器２２と、この容器２２に収容された軌道緑化マット２４とで構成される。軌道緑化マット（以下単に緑化マットとも言う。）２４は図３に示すように、上層植栽基板層２６と、下層植栽基板層２８と、これらの間にはさまれた弱耐根層３０とを積層して一体化したものである。
【００２８】
植栽基板層２６、２８は、多孔質の基板に軽量培土と肥料を充填あるいは詰め込んで所定寸法のマット状に成形したものである。ここに用いる基板には、三次元繊維構造を持つ樹脂繊維、不織布、フェルトなどを使用できる。三次元繊維構造の基板は、例えば特開２０００−６４１６６に開示されているものであり、鞘芯型、偏心鞘芯型、並列型、海島型などの熱融着性複合繊維と、熱可塑性繊維とを所定割合で混繊し、繊維交点を熱接合して不織布としたものであり、表面から裏面にかけて繊維が貫通されて三次元分散による絡合構造としたものである。
【００２９】
軽量培土は、鹿沼土、多孔質の火山石、シラス（火山噴火物）とセメントを混ぜて成型したブロックを砕いたもの、あるいはこれらの混合物あるいはこれに土を混合したものなどであり、適度な大きさ（粒度）と保水性を有する。またこの軽量培土は、無機質多孔材や有機質を原料としたものなどであってもよい。ここに無機質多孔材は、パーライト、パミス、バーミキュウライト、ボラ土、煉瓦破砕品などの内部に空隙を有する無機質材料、溶融した無機質原料を発泡させた多孔質材などである。有機質を原料とするものとしては、発泡ポリスチレン、スポンジ類、中空に成形された樹脂材、木チップ、木材などを原料とした比重１以下の加工品、などである。
【００３０】
弱耐根層３０は前記した防草シートなどである。この弱耐根層３０は、上層植栽基板層２６の下面に固定（接着など）しておいても良いし、下層植栽基板層２８の上面に固定しておいても良い。
【００３１】
この軌道緑化マット２４は上方および周縁が植生マット３２で覆った状態で軟質樹脂シート製の容器２２に収容される。また緑化マット２４と容器２２との間に耐根シート２５（図３）を敷き込んでもよい。なお以下の説明では、植生マット３２で覆ったり耐根シート２５を敷いた状態の軌道緑化マット２４を、単に軌道緑化マット２４とも呼び、植生マット３２と軌道緑化マット２４（耐根シート２５を有する場合はこれを含めて）を容器２２に収納したものを単に軌道緑化ユニット２０と呼ぶこともある。容器２２には緑化マット２４の上方を横断して緑化マット２４を植生マット３２の上から容器２２に固定するための適宜数の固定紐（あるいはバンド）３４を取り付けておき、緑化マット２４と植生マット３２の脱落、剥離を防止するのがよい。
【００３２】
容器２２は図２に示すように、軟質樹脂シートからなる底板３６、その４辺から起立する側壁３８（３８ａ〜ｄ）とを適宜数のアングル材４０で接着し全体を浅い皿状にしたものである。ここに４つの側壁３８のうち軌道１０に平行となる２辺に接着する側壁３８ａ、３８ｃは他の２辺の側壁３８ｂ、３８ｄよりも低い。また側壁３８ｂ、３８ｄは、前記緑化マット２４および植生マット３２よりも上方へ高くなるようにその高さ方向の寸法が設定されている。
【００３３】
この容器２２には、一方の高い側壁３８ｄに、幅広の延出シート４２が接着されている。この延出シート４２は軟質樹脂シートであり、この緑化ユニット２０を軌道１０、１０間に設置した状態で隣接するまくら木１２の上面を覆って他の軌道緑化ユニットの下方に延出可能である。図８はこの設置した状態を示している。この延出シート４２を設ける場合は、側壁３８ｄを省いて延出シート４２にこの側壁３８ｄの機能をもたせても良い。なお容器２２には適宜の排水溝、排水孔を設けておいても良い。また保水のための空隙を設けておいても良い。
【００３４】
図１、７において５０は補助緑化マットである。補助緑化マット５０は軌道の外側で軌道床１４に敷設されるものであり、その１辺は軌道１０に外側から近接する。すなわち軌道１０を挟んで、前記緑化ユニット２０の側壁３８ａ、３８ｃとこの補助緑化マット５０が対向する。これらは軌道１０の下方を通して図１０に示すように互いに連結される。ここに補助緑化マット５０は、緑化ユニット２０の軌道緑化マット２４と同じものであり、これを容器２０と同様に浅い皿状の容器５２に収納したものである。またこの容器５２に変えてこれをネットで包んだものでも良い。
【００３５】
容器２２と５２は、軌道１０の下を通した樹脂製のバンド５４の両端に固定される。すなわち、軌道１０に対向する側壁３８ａまたは３８ｃと、容器５２の側壁とが結合される。バンド５４の両端を容器２２、５２に設けた結合孔に通して結合することもできる。ここに容器５２の軌道１０に非平行となる側壁の高さを、前記容器２２の側壁３８ｂ、３８ｄと同様に高くしておくのが望ましい。
【００３６】
このように構成された緑化ユニット２０は図７（Ａ）に示すように、まくら木１２、１２と軌道１０、１０で囲まれる空間に設置され、補助緑化マット５０は軌道１０の外側でまくら木１２，１２の間に設置され、これらは軌道１０の下方を通した結合バンド５４によって結合される。
【００３７】
この実施例によれば、電車の走行に伴う走行風は軌道１０の長手方向に流れるが、緑化ユニット２０と補助緑化マット５０の容器２２，５２は軌道１０と非平行な側壁が、すなわち走行風に交差する向きの側壁が緑化マット２４，５０の上面よりも高くしてあるので、緑化マット２４，５０の上面から生育する植物に当たる走行風の勢いが弱められる。このため植物の生育が走行風によって妨げられない。また植物が走行風によって傷つけられることが無く、きれいに生育できる。また植物が容器２２，５２の軌道１０に非平行な側壁よりも高くなると、逆に植物の先端に走行風が当たってその生育が妨げられることになり、植物の高さが揃いやすく、美観が向上する。
【００３８】
またこの実施例では弱耐根層３０の下に下層植栽基板層２８を設けているので、上層植栽基板層２６との協働によって保水力を大幅に向上させることができる。すなわち上層植栽基板層２６には、直射日光が当たって特に夏期の乾燥が進むが、下層植栽基板層２８はその上の上層植栽基板層２６によって水分の蒸発が抑制され、また植物の根はこの下層植栽基板層２８には入りにくいので植物からの蒸散も抑制されるからである。
【実施例２】
【００３９】
前記実施例１では、弱耐根層３０を植栽基板層２６、２８とは別体に形成したが、弱耐根層は下層の植栽基板層と一体に形成しても良い。図１０はこのような実施例を示す。この実施例２では、下層植栽基板層２８Ａとなる基板６０に粒度が異なる軽量培土を詰め込み、基板６０に震動を加えることによって上層に粒径が大きい培土を、下層に粒径が小さい培土を集めて分離する。上層の培土の粒径は大きいので、水の吸い上げ作用が弱くなり、このため根はこの層では成長せず弱耐根層として機能する。
この実施例によれば、弱耐根層として特別なシートを用意することなく、下層植栽基板２８に弱耐根層３０Ａを形成するから、使用する素材数が減り、コストを下げることができる。
【実施例３】
【００４０】
図７（Ｂ）は補助緑化マット５０の他の実施例を示す。この実施例の補助緑化マット５０Ａは、まくら木１２，１２の間からまくら木１２の長手方向の端部を囲むように平面視略Ｌ字状に形成され、その一端が軌道１０の下方を通して軌道間に敷かれた軌道緑化マット２０に結合バンド５４で結合され、他端がまくら木１２の長手方向の端部を囲んで隣接する補助緑化マット５０Ａに結合バンド５４Ａで結合されている。補助緑化マット５０Ａは前記実施例５０と同様に容器に収容したものであっても良いし、容器が無く全体をネットなどで包んだものであっても良い。
【００４１】
この実施例によれば、補助緑化マット５０Ａは軌道緑化ユニット２０と両隣の２つの補助緑化マット５０Ａとに合計３ヶ所で固定できることになり、軌道緑化ユニット２０と補助緑化マット５０Ａの固定を確実にして、これらの移動を防止し、走行風によるまくり上がりを確実に防止できる。
【符号の説明】
【００４２】
１０  軌道
１２  まくら木
１４  軌道床
２０  緑化ユニット
２２、５２  容器
２４、５０  軌道緑化マット
２６  上層植栽基板層
２８  下層植栽基板層
３０、３０Ａ  弱耐根層
３２  植生マット
３６  底板
３８  側壁
５０、５０Ａ  補助緑化マット
６０  基板
【図１】
0005452380.tif 000002
【図２】
0005452380.tif 000003
【図３】
0005452380.tif 000004
【図４】
0005452380.tif 000005
【図５】
0005452380.tif 000006
【図６】
0005452380.tif 000007
【図７】
0005452380.tif 000008
【図８】
0005452380.tif 000009
【図９】
0005452380.tif 000010
【図１０】
0005452380.tif 000011